(57)【要約】【課題】空気流通ダクト１１と、空気流通ダクト１１の下流側の開口部に連結されて空気噴出口部を形成するレジスタ１２を備える通風ダクト装置において、空気流指向部材の形状、空気流通ダクト内への挿入軌跡、空気流通ダクトの屈曲部の位置等の多くの要因とは関わることなく、空気流指向板を要求される屈曲部１１ｃ内に的確に臨ませるようにする。【解決手段】空気流指向部材１０ａを空気流通ダクト１１に取付けるようにして、空気流指向部材１０ａ各空気流指向板１４ａ，１４ｂを、空気流通ダクト１１内の屈曲部１１ｃに的確に臨ませる。【選択図】    図１
2005009705.tif 000002
【特許請求の範囲】
【請求項１】
空気流通ダクトと、同空気流通ダクトの下流側の開口部に連結されて空気噴出口部を形成するレジスタを備える通風ダクト装置であり、前記空気流通ダクトに、同空気流通ダクト内の屈曲部に臨む空気流指向部を有する空気流指向部材が取付けられていることを特徴とする通風ダクト装置。
【請求項２】
請求項１に記載の通風ダクト装置において、前記空気流指向部材は、前記空気流通ダクトの一部に嵌合固定される取付脚部と、同取付脚部に一体的に形成されて前記空気流通ダクト内の屈曲部に臨む１または複数枚の空気流指向板を備えていることを特徴とする通風ダクト装置。
【請求項３】
請求項２に記載の通風ダクト装置において、前記空気流指向部材は、前記空気流通ダクトの開口部から内部に挿入されて前記取付脚部を同空気流通ダクト内に嵌合固定されて、前記空気流指向板が同空気流通ダクト内の屈曲部に臨んでいることを特徴とする通風ダクト装置。
【請求項４】
請求項２に記載の通風ダクト装置において、前記空気流指向部材は、前記空気流通ダクトの開口部の端縁に前記取付脚部を嵌合固定されて、前記空気流指向板が同空気流通ダクト内の屈曲部に臨んでいることを特徴とする通風ダクト装置。
【発明の詳細な説明】
【０００１】
【発明の属する技術分野】
本発明は、車両等に搭載されて車室内等の空気を調節するための通気ダクト装置に関する。
【０００２】
【従来の技術】
通気ダクト装置の一形式として、空気流通ダクトと、同空気流通ダクトの下流側の開口部に連結されて空気噴出口部を形成するレジスタを備える形式の通風ダクト装置がある。当該形式の通気ダクト装置においては、搭載される空間部の形状から、空気流通ダクトの所定の部位が屈曲部に形成されているのが一般である。この場合には、空気流通ダクト内の屈曲部に空気流指向部を設けて、当該屈曲部に起因する通気抵抗を大幅に抑制することにより、空気流を空気噴出口部へ円滑に導くようにしている（特許文献１参照）。
【０００３】
しかして、当該形式の通気ダクト装置において、空気流通ダクト内の屈曲部に空気流指向部を形成する空気流指向部材は、例えば、上記した特許文献１にて提案されているようにレジスタと一体に形成されているか、または、別体に形成されてレジスタに一体に取付けらている。当該空気流指向部材を空気流通ダクトに介装するには、レジスタを空気流通ダクトの下流側の開口部に取付る際に、空気流通ダクトの内部に挿入して、空気流指向板等の空気指向部位を空気流通ダクト内の屈曲部に位置させるようにしている。
【０００４】
【特許文献１】
特開昭６１−１４３６４８号公報
【０００５】
【発明が解決しようとする課題】
このように、空気流通ダクト内に空気流指向部を形成する従来の空気流指向部材は、レジスタと一体に形成され、または、レジスタに一体に取付けた状態で使用される。当該空気流指向部材は、空気流通ダクトの開口部から挿入されて、空気流通ダクト内に配設されるが、かかる配設手段を採る場合には、空気流指向部材の形状、空気流通ダクト内への挿入軌跡、空気流通ダクトの屈曲部の位置等の多くの要因から、空気流指向板等を空気指向部位が要求される屈曲部に的確に臨ませることが難しい。空気流通ダクトの形状および空気流指向部材の構造の関係によっては、空気流指向板等の空気指向部位を屈曲部に的確に臨ませることが不可能な場合もあり得る。
【０００６】
本発明の目的は、空気流指向部材の取付部位を考慮することによって、上記した問題に対処することにある。
【０００７】
【課題を解決するための手段】
本発明は、通風ダクト装置に関する。本発明に係る通気ダクト装置は、空気流通ダクトと、同空気流通ダクトの下流側の開口部に連結されて空気噴出口部を形成するレジスタを備える通風ダクト装置であって、前記空気流通ダクトに、空気流通ダクト内の屈曲部に臨む空気流指向部を有する空気流指向部材が取付けられていることを特徴とするものである。
【０００８】
本発明に係る通風ダクト装置においては、前記空気流指向部材を、前記空気流通ダクトの一部に嵌合固定される取付脚部と、同取付脚部に一体的に形成されて前記空気流通ダクト内の屈曲部に臨む１または複数枚の空気流指向板を備える構成とすることができる。
【０００９】
当該空気流指向部材においては、前記空気流通ダクトの開口部から内部に挿入して前記取付脚部を同空気流通ダクト内に嵌合固定し、前記空気流指向板を同空気流通ダクト内の屈曲部に臨ませる配設手段を採ることができ、また、前記空気流通ダクトの開口部の端縁に前記取付脚部を嵌合固定して、前記空気流指向板を同空気流通ダクト内の屈曲部に臨ませる配設手段を採ることができる。
【００１０】
【発明の作用・効果】
本発明に係る通気ダクト装置においては、空気流指向部材を空気流通ダクトに直接取付ける構成としているため、空気流指向部材や空気流通ダクトの形状等を考慮して、空気流指向部材の空気流通ダクトにおける取付部位を的確に選定すれば、空気流指向部材の空気流指向部を、空気流通ダクト内の屈曲部に的確に位置させることができる。当該空気流指向部材は、レジスタとは直接には関わる部材でないことから、使用すべきレジスタが空気流指向部材による制約を受けるようなことは全くない。
【００１１】
本発明に係る通気ダクト装置においては、空気流指向部材として、下記に示す各空気流指向部材、すなわち、空気流通ダクトの一部に嵌合固定される取付脚部と、同取付脚部に一体的に形成されて空気流通ダクト内の屈曲部に臨む１または複数枚の空気流指向板を備える構成の空気流指向部材を採用すれば、当該空気流指向部材を空気流通ダクト内に容易に配設することができる。当該空気流指向部材の空気流通ダクト内への配設は、取付脚部および取付部位の選定によって、下記に示す手段を採ることができる。
【００１２】
当該空気流指向部材を空気流通ダクト内に配設するには、空気流指向部材を空気流通ダクトの開口部から内部に挿入して、その取付脚部を同空気流通ダクト内の所定の部位に嵌合固定すれば、空気流指向板を、空気流通ダクト内の屈曲部に的確に臨ませることができる。また、当該空気流指向部材の取付脚部の嵌合部位の形状および構造を変更すれば、当該取付脚部を空気流通ダクトの開口部の端縁に嵌合固定することができて、空気流指向板を空気流通ダクト内の屈曲部に臨ませることができる。
【００１３】
【発明の実施の形態】
本発明は、通気ダクト装置に関するもので、図１には本発明に係る通気ダクト装置の第１の実施形態（第１の通気ダクト装置）を示し、図２には本発明に係る通気ダクト装置の第２の実施形態（第２の通気ダクト装置）を示し、図３には本発明に係る通気ダクト装置の第３の実施形態（第３の通気ダクト装置）を示している。本発明の実施形態に係る各通気ダクト装置１０，２０，３０は、採用している各空気流指向部材１０ａ，２０ａ，３０ａの構成、および、空気流通ダクトにおける各空気流指向部材１０ａ，２０ａ，３０ａの取付部位の構成が相違する点を除き、基本的には同一構成のものである。
【００１４】
本発明に係る第１の通気ダクト装置１０は、空気流通ダクト１１と、空気流通ダクト１１のダクト本体１１ａの下流側の開口部１１ｂに気密的に連結されているレジスタ１２と、本発明の主要部を構成する空気流指向部材１０ａにて構成されている。通気ダクト装置１０のかかる構成においては、空気流通ダクト１１のダクト本体１１ａとレジスタ１２のリテーナ１２ａが通気ダクトを形成している。当該通気ダクト装置１０においては、その設置空間の関係から、  空気流通ダクト１１が全体に屈曲する形状に形成されていて、ダクト本体１１ａの長さ方向の中央部が大きく屈曲する屈曲部１１ｃとなっている。当該通気ダクト装置１０においては、空気流通ダクト１１内の屈曲部１１ｃに空気流指向部材１０ａが配設されている。
【００１５】
当該空気流指向部材１０ａは、略ｎ字状に形成れた板状の支柱１３と、支柱１３の上下方向の略中央部に互いに並列して位置する上下一対の空気流指向板１４ａ，１４ｂとからなるもので、支柱１３と両空気流指向板１４ａ，１４ｂとは合成樹脂を成形材料として一体的に成形されている。支柱１３は、その中央部に位置する支柱本体１３ａと、支柱本体１３ａの上下の各端部からわずかに離間した状態で傾斜状に延びる一対の脚部１３ｂ１、１３ｃ１とからなり、脚部１３ｂ１、１３ｃ１の先端部には係合片１３ｂ２，１３ｃ２が一体的に形成されている。
【００１６】
当該空気流指向部材１０ａにおいては、各脚部１３ｂ１、１３ｃ１は係合片１３ｂ２，１３ｃ２と一体で、上下方向へ弾撥的に可撓する取付脚部１３ｂ，１３ｃとなっている。空気流指向部材１０ａは、各取付脚部１３ｂ，１３ｃを介して、空気流通ダクト１１のダクト本体１１ａ内に取付けられる。
【００１７】
一方、空気流通ダクト１１のダクト本体１１ａには、各取付脚部１３ｂ，１３ｃの係合片１３ｂ２，１３ｃ２が弾撥的に係合する取付部位１１ｄ１，１１ｄ２が形成されている。取付部位１１ｄ１，１１ｄ２は、空気流通ダクト１１のダクト本体１１ａにおける屈曲部１１ｃより下流側の上下の部位に形成されており、空気流指向部材１０ａの各取付脚部１３ｂ，１３ｃにおける係合片１３ｂ２，１３ｃ２が係合して嵌合固定される所定の大きさの凹部形状に形成されている。
【００１８】
取付部位１１ｄ１，１１ｄ２の位置は、空気流指向部材１０ａの各取付脚部１３ｂ，１３ｃの係合片１３ｂ２，１３ｃ２が係合された状態において、空気流指向部材１０ａの両空気流指向板１４ａ，１４ｂが空気流通ダクト１１内の屈曲部１１ｃに臨む位置に設定されている。
【００１９】
空気流指向部材１０ａの各空気流指向板１４ａ，１４ｂは、各取付脚部１３ｂ，１３ｃに対して直交状に位置し、空気流通ダクト１１の屈曲部１１ｃの上側壁部１１ｃ１と下側壁部１１ｃ２に略沿う円弧状の屈曲形状に形成されている。
【００２０】
当該空気流指向部材１０ａを空気流通ダクト１１に取付けるには、空気流指向部材１０ａの全体を空気流通ダクト１１のダクト本体１１ａ内に、その下流側の開口部１１ｂまたは上流側の開口部１１ｅを通して挿通する。空気流指向部材１０ａのダクト本体１１ａ内での挿通途中では、各取付脚部１３ｂ，１３ｃは上下方向からの圧力により撓み、撓んだ状態で各取付部位１１ｄ１，１１ｄ２に至り、各係合片１３ｂ２，１３ｃ２は各取付部位１１ｄ１，１１ｄ２に達した時点で、各取付部位１１ｄ１，１１ｄ２に弾撥的に係合する。
【００２１】
これにより、当該空気流指向部材１０ａは、各取付脚部１３ｂ，１３ｃを介して、空気流通ダクト１１のダクト本体１１ａ内に嵌合固定される。空気流指向部材１０ａがダクト本体１１ａ内に嵌合固定された状態では、両空気流指向板１４ａ，１４ｂが空気流通ダクト１１内の屈曲部１１ｃに臨み、両空気流指向板１４ａ，１４ｂは、空気流通ダクト１１内の屈曲部１１ｃに的確に位置する。かかる取付状態の空気流指向部材１０ａは、空気流通ダクト１１のダクト本体１１ａ内を流通する空気流を、屈曲部１１ｃに起因する通気抵抗を大幅に抑制した状態で、レジスタ１２の図示しないベゼル（空気噴出口部）に円滑に導く。
【００２２】
このように、当該通気ダクト装置１０においては、空気流指向部材１０ａを空気流通ダクト１１に直接取付ける構成として、レジスタ１２のリテーナ１２ａとの直接の取付関係を絶っている。このため、空気流指向部材１０ａの各空気流指向板１４ａ，１４ｂを、空気流通ダクト１１内の屈曲部１１ｃに的確に位置させることができる。また、空気流指向部材１０ａは、リテーナ１２ａとは関わらない部材であることから、使用すべきレジスタ１２による制約を何等受けることはない。また、レジスタ１２についても、空気流指向部材１０ａによる制約を何等受けることはない。
【００２３】
本発明に係る第２の通気ダクト装置２０は、図２に示すように、空気流通ダクト２１と、空気流通ダクト２１のダクト本体２１ａの下流側の開口部２１ｂに気密的に連結されているレジスタ２２と、本発明の主要部を構成する空気流指向部材２０ａにて構成されている。通気ダクト装置２０のかかる構成は、空気流指向部材２０ａの構成、および、空気流指向部材２０ａの取付構造の点を除き、第１の通気ダクト装置１０と同一構成であり、空気流指向部材２０ａは、ダクト本体２１ａの屈曲部２１ｃに配設されている。
【００２４】
しかして、当該空気流指向部材２０ａは、起立する板状の支柱２３と、支柱２３の上下方向の略中央部に互いに並列して位置する上下一対の空気流指向板２４ａ，２４ｂとからなるもので、支柱２３と両空気流指向板２４ａ，２４ｂとは合成樹脂を成形材料として一体的に成形されている。
【００２５】
空気流指向部材２０ａを構成する支柱２３は、支柱本体２３ａと、支柱本体２３ａの下端部を互いに分割された状態で下方へ延びる一対の脚部２３ｂ１、２３ｃ１とからなり、脚部２３ｂ１、２３ｃ１の先端部には係合爪２３ｂ２，２３ｃ２が一体的に形成されている。各脚部２３ｂ１、２３ｃ１は、各係合爪２３ｂ２，２３ｃ２と一体で、左右方向へ弾撥的に可撓する一対の取付脚部を形成されている。当該空気流指向部材２０ａは、各取付脚部２３ｂ，２３ｃを介して、空気流通ダクト２１のダクト本体２１ａ内に取付けられる。
【００２６】
一方、空気流通ダクト２１のダクト本体２１ａには、各取付脚部２３ｂ，２３ｃの係合爪２３ｂ２，２３ｃ２が弾撥的に係合する取付部位２１ｄが形成されている。取付部位２１ｄは、空気流通ダクト２１のダクト本体２１ａにおける屈曲部２１ｃの下側壁部２１ｃ２で、ダクト本体２１ａの上流側の開口部２１ｅに近接する部位に形成されている。取付部位２１ｄは、空気流指向部材２０ａの各取付脚部２３ｂ，２３ｃにおける係合爪２３ｂ２，２３ｃ２が係止して嵌合固定される貫通穴に形成されている。
【００２７】
取付部位２１ｄの位置は、空気流指向部材２０ａの各取付脚部２３ｂ，２３ｃが嵌合固定された状態において、空気流指向部材２０ａの両空気流指向板２４ａ，２４ｂが空気流通ダクト２１内の屈曲部２１ｃに臨む位置に設定されている。空気流指向部材２０ａの各空気流指向板２４ａ，２４ｂは、空気流通ダクト２１の屈曲部２１ｃの上側壁部２１ｃ１の円弧状の屈曲形状と、下側壁部２１ｃ２の円弧状の屈曲形状との中間の屈曲形状を呈している。
【００２８】
当該空気流指向部材２０ａを空気流通ダクト２１に取付けるには、空気流指向部材２０ａの全体を空気流通ダクト２１のダクト本体２１ａ内に上流側の開口部２１ｄから挿入し、両脚部２３ｂ，２３ｃをダクト本体２１ａの取付部位２１ｄに弾撥的に係止する。
【００２９】
これにより、当該空気流指向部材２０ａは、各取付脚部２３ｂ，２３ｃを介して、空気流通ダクト２１のダクト本体２１ａ内に嵌合固定される。空気流指向部材２０ａがダクト本体２１ａ内に嵌合固定された状態では、両空気流指向板２４ａ，２４ｂが空気流通ダクト２１内の屈曲部２１ｃに臨み、第１の通気ダクト装置１０における空気流指向部材１０ａと同様に機能する。
【００３０】
本発明に係る第３の通気ダクト装置３０は、図３に示すように、空気流通ダクト３１と、空気流通ダクト３１のダクト本体３１ａの下流側の開口部３１ｂに気密的に連結されているレジスタ３２と、本発明の主要部を構成する空気流指向部材３０ａにて構成されている。通気ダクト装置３０のかかる構成は、空気流指向部材３０ａの構成、および、空気流指向部材３０ａの取付構造の点を除き、第１の通気ダクト装置１０および第２の通気ダクト装置２０と同一構成である。空気流指向部材３０ａは、ダクト本体３１ａの屈曲部３１ｃに配設されて、第１の通気ダクト装置１０および第２の通気ダクト装置２０の取付けられている各空気流指向部材１０ａ，２０ａと同様に機能する。
【００３１】
しかして、当該空気流指向部材３０ａは、起立する板状の支柱３３と、支柱３３の上下方向の略中央部に互いに並列して位置する上下一対の空気流指向板３４ａ，３４ｂとからなるもので、支柱３３と両空気流指向板３４ａ，３４ｂとは合成樹脂を成形材料として一体的に成形されている。
【００３２】
空気流指向部材３０ａを構成する支柱３３は、支柱本体３３ａと、支柱本体３３ａの下端部に形成された取付脚部３３ｂとからなり、取付脚部３３ｂの脚部３３ｂ１の下端に嵌合凹所３３ｂ２が一体的に形成されている。嵌合凹所３３ｂ２は、ワ字状（転倒状態）を呈するもので、ダクト本体３１ａの上流側の開口部３１ｅの下縁部３１ｄ（取付部位）に弾撥的に係合する取付脚部３３ｂを構成している。取付脚部３３ｂのかかる構成によれば、ダクト本体３１ａにおける特別の取付部位の形成を省略することができる。
【００３３】
当該空気流指向部材３０ａは、取付脚部３３ｂの嵌合凹所３３ｂ２を、空気流通ダクト３１のダクト本体３１ａにおける上流側の開口部３１ｅの下側縁部に弾撥的に係合することにより嵌合固定される。当該空気流指向部材３０ａがダクト本体３１ａに取付けられた状態では、両空気流指向板２４ａ，２４ｂは、空気流通ダクト２１内の屈曲部３１ｃに臨み、第１および第２の通気ダクト装置１０，２０における空気流指向部材１０ａ，２０ａと同様に機能する。
【図面の簡単な説明】
【図１】本発明に係る通気ダクト装置の実施形態である第１の通気ダクト装置の縦断面図（ａ）、および、空気流指向板の斜視図（ｂ）である。
【図２】本発明に係る通気ダクト装置の実施形態である第２の通気ダクト装置の縦断面図（ａ）、および、空気流指向板の斜視図（ｂ）である。
【図３】本発明に係る通気ダクト装置の実施形態である第３の通気ダクト装置の縦断面図（ａ）、および、空気流指向板の斜視図（ｂ）である。
【符号の説明】
１０，２０，３０…通気ダクト装置、１０ａ，２０ａ，３０ａ…空気流指向部材、１１，２１，３１…空気流通ダクト、１１ａ，２１ａ，３１ａ…ダクト本体、１１ｂ，２１ｂ，３１ｂ…下流側の開口部、１１ｃ，２１ｃ，３１ｃ…屈曲部、１１ｃ１，２１ｃ１，３１ｃ１…上側壁部、１１ｃ２，２１ｃ２，３１ｃ２…下側壁部、１１ｄ１，１１ｄ２，２１ｄ，３１ｄ…取付部位、１１ｅ，２１ｅ，３１ｅ…上流側の開口部、１２，２２，３２…レジスタ、１２ａ，２２ａ，３２ａ…リテーナ、１３，２３，３３…支柱、１３ａ，２３ａ，３３ａ…支柱本体、１３ｂ，１３ｃ，２３ｂ，２３ｃ，３３ｂ…取付脚部、１３ｂ１，１３ｃ１，２３ｂ１，２３ｃ１，３３ｂ１…脚部、１３ｂ２，１３ｃ２…係合片、２３ｂ２，２３ｃ２…係合爪、３３ｂ２…嵌合凹所、１４ａ，１４ｂ，２４ａ，２４ｂ，３４ａ，３４ｂ…空気流指向板。
【図１】
2005009705.tif 000003
【図２】
2005009705.tif 000004
【図３】
2005009705.tif 000005